(57)【要約】【課題】瞬時電圧低下（瞬低）の発生をより確実かつより迅速に需要家に通知する瞬低情報通知システムを提供する。【解決手段】電気所２０ａ〜２０ｈは、電気所通信網７１を介して瞬低情報サーバ７０に接続され、瞬低情報サーバ７０は、公衆通信網７２を介して需要家３０ｃ〜３０ｐおよび４０ａ、４０ｂに接続される。電気所２０ａ〜２０ｈは、瞬低を検出して瞬低情報サーバ７０に通知する。瞬低情報サーバ７０は、瞬低が波及した可能性のある需要家を特定して、電子メールにより瞬低発生を通知する。【選択図】図３
2006280102.tif 000002
【特許請求の範囲】
【請求項１】
商用電力系統の発電所または電気所の母線における瞬時電圧低下の発生を、前記商用電力系統から給電される需要家に通知する、瞬時電圧低下情報サーバであって、
前記母線は、前記需要家と送電線または配電線を介して互いに接続され、
前記瞬時電圧低下情報サーバは、
前記母線と前記需要家との接続関係に関する情報を記憶し、
前記接続関係に関する情報と、前記発電所または電気所から送信される、前記瞬時電圧低下に関する情報とに基づいて、前記需要家のうち前記瞬時電圧低下が波及した可能性があるものを特定し、
前記波及した可能性がある需要家に、前記瞬時電圧低下の発生を通知する
瞬時電圧低下情報サーバ。
【請求項２】
商用電力系統の発電所または電気所の母線における瞬時電圧低下の発生を、前記商用電力系統から給電される需要家に通知する、瞬時電圧低下情報通知方法であって、
前記瞬時電圧低下に関する情報を検出し、
前記母線と前記需要家との送電線または配電線を介しての接続関係に関する情報と、前記瞬時電圧低下に関する情報とに基づいて、前記需要家のうち前記瞬時電圧低下が波及した可能性があるものを特定し、
前記波及した可能性がある需要家に、前記瞬時電圧低下の発生を通知する
瞬時電圧低下情報通知方法。
【発明の詳細な説明】
【技術分野】
【０００１】
この発明は、瞬時電圧低下情報サーバおよび瞬時電圧低下情報通知方法に関する。
【背景技術】
【０００２】
発電所において発電された電力を、送電線、変電所等を経由して一般の需要家に供給する、商用電力系統において、落雷等の原因により、商用電力系統に瞬時電圧低下（以下、「瞬低」と略す）が発生する場合がある。発生した瞬低を検出する装置の例として、特許文献１に示されるものが知られている。このような瞬低検出装置によって検出されたデータは、商用電力系統の管理者に通知される。
管理者は、顧客である需要家からの問い合わせ等に対応する際、この瞬低に関するデータをもとにして調査および報告を行う。
【０００３】
【特許文献１】特開２０００−１１１５９１号公報
【発明の開示】
【発明が解決しようとする課題】
【０００４】
しかしながら、従来の瞬低検出装置は、検出結果を上記商用電力系統の管理者に通知するだけであり、需要家への通知は行わない。このため、各需要家は、商用電力系統における瞬低の発生を確実には知ることができず、また知り得たとしても発生から認識まで時間かかる場合があり、迅速な対応がとれないという問題があった。
【０００５】
この発明は、このような問題点を解決するためになされたものであり、瞬低の発生をより確実、かつ、より迅速に需要家に通知する瞬低情報サーバおよび瞬低情報通知方法を提供する。
【課題を解決するための手段】
【０００６】
上述の問題点を解決するため、この発明に係る瞬時電圧低下情報サーバは、商用電力系統の発電所または電気所の母線における瞬時電圧低下の発生を、商用電力系統から給電される需要家に通知する、瞬時電圧低下情報サーバであって、母線は、需要家と送電線または配電線を介して互いに接続され、瞬時電圧低下情報サーバは、母線と需要家との接続関係に関する情報を記憶し、接続関係に関する情報と、発電所または電気所から送信される、瞬時電圧低下に関する情報とに基づいて、需要家のうち瞬時電圧低下が波及した可能性があるものを特定し、波及した可能性がある需要家に、瞬時電圧低下の発生を通知する。
【０００７】
また、この発明に係る瞬時電圧低下情報通知方法は、商用電力系統の発電所または電気所の母線における瞬時電圧低下の発生を、商用電力系統から給電される需要家に通知する、瞬時電圧低下情報通知方法であって、瞬時電圧低下に関する情報を検出し、母線と需要家との送電線または配電線を介しての接続関係に関する情報と、瞬時電圧低下に関する情報とに基づいて、需要家のうち瞬時電圧低下が波及した可能性があるものを特定し、波及した可能性がある需要家に、瞬時電圧低下の発生を通知する。
【発明の効果】
【０００８】
この発明に係る瞬低情報サーバおよび瞬低情報通知方法は、瞬低の発生を検出して、瞬低が波及した可能性のある需要家を特定した後に自動的に瞬低発生を通知するので、各需要家は、電力系統における瞬低の発生を、より確実、かつ、より迅速に知ることができる。
【発明を実施するための最良の形態】
【０００９】
実施の形態１．
本発明の実施の形態１に係る瞬低情報通知システム２００およびこれに関連する構成を、図１〜図３を用いて説明する。
図１および図２は、瞬低情報通知システム２００に関連する商用電力系統である、電力系統１００の構成を示す。
【００１０】
図１は、電力系統１００の通常時の構成を示す。電力系統１００は、発電を行う発電所１０ａおよび１０ｂと、系統切替および電圧昇降を行う電気所２０ａ〜２０ｈと、電力を消費する負荷としての需要家とを含む。需要家は、たとえば特別高圧受電の需要家３０ｃ〜３０ｐおよび高圧受電の需要家４０ａ、４０ｂを含む。電気所２０ａ〜２０ｈは、たとえば開閉所または変電所である。
この発電所１０ａおよび１０ｂ、電気所２０ａ〜２０ｈ、需要家３０ｃ〜３０ｐおよび４０ａ、４０ｂは、送電線５０ａ〜５０ｐまたは配電線６０ａ、６０ｂおよび後の説明のために示した開閉器ＳＷ１〜ＳＷ６を介して、次のように電気的に連系している。また、電気所２０ａ〜２０ｈには、図示されていないが、それぞれの電圧階級の母線を一つまたは複数備えている。たとえば、電気所２０ａ（変電所）には５００ｋＶ母線と２７５ｋＶ母線が備わっており、電気所２０ｅ（開閉所）には２７５ｋＶ母線が備わっている。なお、電気所において母線間で連系している場合もある。
【００１１】
発電所１０ａの５００ｋＶ母線および電気所２０ａの５００ｋＶ母線は、送電線５０ａを介して連系している。
発電所１０ｂの２７５ｋＶ母線および電気所２０ｅの２７５ｋＶ母線は、送電線５０ｅを介して連系している。
電気所２０ａの２７５ｋＶ母線および電気所２０ｂの２７５ｋＶ母線は、送電線５０ｂを介して連系している。
電気所２０ｂの１５４ｋＶ母線、電気所２０ｃの１５４ｋＶ母線および需要家３０ｃは、送電線５０ｃを介して連系している。
電気所２０ｃの６６ｋＶ母線、電気所２０ｄの６６ｋＶ母線および需要家３０ｄは、送電線５０ｄを介して連系している。
電気所２０ｅの２７５ｋＶ母線および電気所２０ｆの２７５ｋＶ母線は、送電線５０ｆを介して連系している。
電気所２０ｆの６６ｋＶ母線、電気所２０ｈの６６ｋＶ母線および需要家３０ｈは、送電線５０ｈを介して連系している。
電気所２０ｆの２７５ｋＶ母線および需要家３０ｊは、送電線５０ｊおよび開閉器ＳＷ３を介して連系している。
電気所２０ｈの６６ｋＶ母線および需要家３０ｐは、開閉器ＳＷ６および送電線５０ｐを介して連系している。
さらに、需要家４０ａおよび電気所２０ｄの６．６ｋＶフィーダ（母線）は、配電線６０ａを介して連系しており、また、需要家４０ｂおよび電気所２０ｈの６．６ｋｖフィーダ（母線）は、配電線６０ｂを介して連系している。
なお、電気所２０ａの２７５ｋＶ母線および電気所２０ｆの２７５ｋＶ母線は、開閉器ＳＷ１、送電線５０ｉおよび開閉器ＳＷ４を介して連系することができ、また、電気所２０ｃに接続される１５４ｋＶの送電線５０ｎや、電気所２０ｄの配電線６０ｎ等、図示されない範囲に連系する送電線もあるが、これらについては説明を省略する。
【００１２】
したがって、需要家３０ｊは、破線矢印（ａ）に沿って電力の供給を受ける。すなわち、発電所１０ｂにおいて発電される電力が、送電線５０ｅ、電気所２０ｅの２７５ｋＶ母線、送電線５０ｆ、電気所２０ｆの２７５ｋＶ母線および送電線５０ｊを順に経由して需要家３０ｊに供給される。
同様に、需要家３０ｐは、破線矢印（ｂ）に沿って電力の供給を受ける。すなわち、発電所１０ｂにおいて発電される電力が、送電線５０ｅ、電気所２０ｅの２７５ｋＶ母線、送電線５０ｆ、電気所２０ｆの２７５ｋＶ母線および６６ｋＶ母線、送電線５０ｈ、電気所２０ｈの６６ｋＶ母線並びに送電線５０ｐを順に経由して需要家３０ｐに供給される。
なお、各送電線５０ａ〜５０ｐは、それぞれ１号線と２号線からなる２回線送電線であるが、簡明のため図１においては単線として示す。
【００１３】
図２は、電力系統１００において一部の経路が変更された構成を示す。以下に説明する部分を除き、図１の構成と同様である。
送電線の建替工事等の理由で、電気所２０ｆと需要家３０ｊとの間の送電線５０ｊの一部、および、電気所２０ｈと需要家３０ｐとの間の送電線５０ｐの一部が使用できない状態である。このため、開閉器ＳＷ３およびＳＷ６は開の状態にある。
開閉器ＳＷ３およびＳＷ６の開離に伴い、需要家３０ｊおよび３０ｐに電力を供給するために、開閉器ＳＷ２およびＳＷ５が閉の状態にある。すなわち、需要家３０ｊおよび電気所２０ｂの２７５ｋＶ母線は、送電線５０ｊとＳＷ２を介して連系され、需要家３０ｐおよび電気所２０ｄの６６ｋＶ母線は、送電線５０ｐとＳＷ５を介して連系されている。
【００１４】
したがって、需要家３０ｊは、破線矢印（ｃ）に沿って電力の供給を受ける。すなわち、発電所１０ａにおいて発電される電力が、送電線５０ａ、電気所２０ａの５００ｋＶ母線および２７５ｋＶ母線、送電線５０ｂ、電気所２０ｂの２７５ｋＶ母線並びに送電線５０ｊを順に経由して需要家３０ｊに供給される。
同様に、需要家３０ｐは、破線矢印（ｄ）に沿って電力の供給を受ける。すなわち、発電所１０ａにおいて発電される電力が、送電線５０ａ、電気所２０ａの５００ｋＶ母線および２７５ｋＶ母線、送電線５０ｂ、電気所２０ｂの２７５ｋＶ母線および１５４ｋＶ母線、送電線５０ｃ、電気所２０ｃの１５４ｋＶ母線および６６ｋＶ母線、送電線５０ｄ、電気所２０ｄの６６ｋＶ母線並びに送電線５０ｐを順に経由して需要家３０ｐに供給される。
【００１５】
図３は、瞬低情報通知システム２００を含む構成を示す。
電気所２０ａ〜２０ｈは、図示されないネットワークインタフェースを備え、図１および図２に示す電力系統１００とは電気的に直接接続されない通信ネットワークである、電気所通信網７１に接続されている。この電気所通信網７１には、各電気所２０ａ〜２０ｈから瞬低に関する情報を集め、この情報に基づいて各需要家３０ｃ〜３０ｐおよび４０ａ、４０ｂに瞬低通知を行う瞬低情報サーバ７０が接続されている。
瞬低情報サーバ７０および需要家３０ｃ〜３０ｐおよび４０ａ、４０ｂは、公衆通信網７２に接続されている。公衆通信網７２は、たとえばインターネットである。
【００１６】
瞬低情報サーバ７０は、キーボード、ネットワークインタフェース、およびディスプレイ等の入出力装置を有するコンピュータである。また、瞬低情報サーバ７０は、いわゆるＷｅｂサーバとしての機能も有する。すなわち、ＨＴＴＰおよびＨＴＴＰＳ等のプロトコルを使用して、外部とデータの送受信を行うことができる。
また、瞬低情報サーバ７０は、電子メールを送受信する機能を有する。すなわち、ＳＭＴＰおよびＰＯＰ等のプロトコルを使用して、外部とデータの送受信を行うことができる。
この瞬低情報サーバ７０と各電気所２０ａ〜２０ｈとが、瞬低情報通知システム２００を構成する。
【００１７】
また、各電気所２０ａ〜２０ｈは、接続されている母線のいずれかにおいて瞬低が発生した場合、その発生を検出して瞬低情報サーバ７０に送信する機能を持つ。この検出は、各電気所２０ａ〜２０ｈに設けられたΔＵＶＲ（delta Under Voltage Relay：電圧低下幅継電器）によって行われ、母線の電圧が瞬間的にそれまでの電圧より数％低下した場合に瞬低が発生したと判断される。ΔＵＶＲは、瞬低検出情報として、瞬低に関する情報、たとえば、瞬低が発生した母線、発生日時、継続時間、その母線における瞬低発生直前の電圧、および瞬低中の最小電圧などを検出する。
【００１８】
瞬低情報サーバ７０は、この瞬低検出情報を受信して記憶する機能を持つ。さらに、この瞬低検出情報を出力する。これはたとえば図９に示すような瞬低通知画面をディスプレイに表示することによって行われる。図９では、上述の瞬低検出情報に加え、瞬低が発生したことを示す「瞬低」の表記と、瞬低を検出した電気所の名称とが表示されている。また、瞬低発生直前の電圧および瞬低中の最小電圧に基づいて瞬低情報サーバ７０が算出する電圧低下率も、％表記で表示される。
【００１９】
瞬低情報サーバ７０は、電力系統１００において電力が供給される経路に関する供給経路情報を記憶している。この供給経路情報は、各電気所について記憶されるものと、各需要家について記憶されるものとがあるが、どちらも、電力系統１００における各母線と各需要家との間の接続関係に関する情報を表すものである。
図４〜図８を用いて、この供給経路情報について説明する。
【００２０】
図４は、各電気所に関する供給経路情報の例として、図１における電気所２０ｃの供給経路情報を示す。
電気所に関する供給経路には、様々な母線の区分のそれぞれについて、その母線が電気所に存在するかどうか、その母線が充電されているかどうか（すなわち、その母線を介して電力の供給がされているかどうか）、および、その母線またはそれより下流側（下位電圧側）において連系する需要家すなわち顧客を表す顧客コードが含まれる。
図１における電気所２０ｃには、１５４ｋＶの送電線５０ｃ（２回線送電線）および５０ｎ（２回線送電線）、６６ｋＶの送電線５０ｄ（２回線送電線）の３送電線（６回線）が接続されている。
また、送電線５０ｃの１号線は１５４ｋＶ甲１母線に、送電線５０ｃの２号線は１５４ｋＶ乙１母線に、送電線５０ｎの１号線は１５４ｋＶ甲１母線に、送電線５０ｎの２号線は乙１母線にそれぞれ連系しているとし、また、送電線５０ｄの１号線は６６ｋＶ甲１母線に、送電線５０ｄの２号線は６６ｋＶ乙１母線に、それぞれ連系しているとする。これら４本の母線は電気所２０ｃに存在しており、また充電されているので、「存在の有無」および「充電の有無」は有すなわち○となる（無い場合はブランクとなる）。
【００２１】
需要家３０ｄには送電線５０ｄの１号線により、電気所２０ｄには送電線５０ｄの２号線により電力供給されているとする。需要家から電力系統をみこんで電圧階級が同等または上位である連系する電気所の母線が瞬低に大きく関係してくるので、該当する母線に対応して顧客コードを入力する。顧客コードとして、需要家３０ｄ（顧客コード０７４３９２１）と、電気所２０ｄを経由する需要家４０ａ（顧客コード０７４３９２２）に該当するものが、それぞれ、電気所２０ｃの６６ｋＶ甲１母線、６６ｋＶ乙１母線の欄に記憶されることになる。
【００２２】
図５は、図２における電気所２０ｃの供給経路情報を示す。以下、図４と異なる部分のみ説明する。
図２に示す構成で、需要家３０ｐには、送電線５０ｐの２号線で供給されており、この２号線は電気所２０ｄの６６ｋＶ乙１母線と連系されており、この乙１母線は送電線５０ｄの２号線に連系されているとする。すると、電気所２０ｃの６６ｋＶ乙１母線の下流に需要家３０ｐは対応することとなり、該当する顧客コードとして、需要家３０ｐ（顧客コード０７４３９２３）に対応するものが追加で記憶される。
【００２３】
図６は、各需要家に関する供給経路情報の例として、図１における需要家３０ｐ（顧客コード０７４３９２３）に相当する需要家の供給経路情報を示す。需要家に関する供給経路情報には、発電所から該当の需要家までの経路に含まれる母線の情報が含まれる。
図１において、発電所１０ｂから需要家３０ｐに至る、破線矢印（ｂ）で示す経路には、たとえば、送電線５０ｅ、電気所２０ｅの２７５ｋＶ甲１母線および２７５ｋＶ甲２母線、送電線５０ｆ、電気所２０ｆの２７５ｋＶ甲１母線および６６ｋＶ甲２母線、送電線５０ｈ、電気所２０ｈの６６ｋＶ母線、並びに送電線５０ｐが含まれるとする。この場合に、上述の経路に含まれる母線を、電圧階級ごとに分類して供給経路情報とすると、図６のとおりになる。
【００２４】
図７は、図２における需要家３０ｐの供給経路情報を示す。
図２において、発電所１０ａから需要家３０ｐに至る、破線矢印（ｄ）で示す経路には、たとえば、送電線５０ａ、電気所２０ａの５００ｋＶ甲１母線および２７５ｋＶ甲２母線、送電線５０ｂ、電気所２０ｂの２７５ｋＶ甲２母線および１５４ｋＶ甲１母線、送電線５０ｃ、電気所２０ｃの１５４ｋＶ甲１母線および６６ｋＶ乙１母線、送電線５０ｄ、電気所２０ｄの６６ｋＶ乙１母線、並びに送電線５０ｐが含まれるとする。この場合に、上述の経路に含まれる母線を、電圧階級ごとに分類して供給経路情報とすると、図７のとおりになる。
図２においては、発電所１０ａから需要家３０ｐに至る、破線矢印（ｄ）で示す経路には、送電線５０ａ、５０ｂ、５０ｃ、５０ｄ、および５０ｐが含まれる。これに基づき、上述の図１の場合と同様にして、図２における供給経路情報が図７に示すように記憶される。
【００２５】
各電気所２０ａ〜２０ｈおよび瞬低情報サーバ７０は、上記の供給経路情報を、電力系統１００の構成の変化に応じて更新する機能を有する。たとえば、通常時には、電気所および需要家に関する供給経路情報としてそれぞれ図４および図６に示すものが瞬低情報サーバ７０に記憶されているが、電力系統１００の構成が図２のように変化すると、各電気所２０ａ〜２０ｈは経路変更の内容を瞬低情報サーバ７０に通知し、これに応じて瞬低情報サーバ７０は供給経路情報を図５および図７に示すものに変更する。
この変更は、上述のように、各電気所２０ａ〜２０ｈおよび瞬低情報サーバ７０が協働して自動的に行うが、これは人間の介入を必要としてもよい。たとえば、電力系統１００の構成変更内容に応じて、操作員が瞬低情報サーバ７０に記憶される供給経路情報を変更してもよい。
【００２６】
また、各電気所の供給経路情報と、各需要家の供給経路情報とは、連動して管理される。たとえば、電力系統１００において構成の変更が発生した場合、瞬低情報サーバ７０はまず電気所の供給経路情報を変更し、次に、電気所の供給経路情報の変更内容に従って需要家の供給経路情報を変更する。このようにして、電気所および需要家の供給経路情報間における矛盾の発生を防ぐ。ただし、各電気所の供給経路情報と、各需要家の供給経路情報とは互いに独立して管理されるものであってもよい。
【００２７】
瞬低情報サーバ７０は、各需要家に関する顧客情報を記憶する。
図８は、需要家３０ｐに対応する顧客情報の例を示す。顧客情報には、需要家３０ｐの顧客コード０７４３９２３、顧客名、連絡先の担当者、代表の電話番号、担当者直通の電話番号、ＦＡＸ番号、保安電話の電話番号、携帯電話番号、電子メールアドレスが含まれる。
また、上述のように、瞬低情報サーバ７０はＷｅｂサーバとしての機能を有するが、外部からの参照があった際には、参照者の認証を行い、参照者が顧客情報のいずれかに対応する需要家であるかどうかを判断する。この認証に用いるためのＩＤであるＨＰ  ＩＤ（ホームページＩＤ）およびパスワードであるＨＰパスワード（ホームページパスワード）も、顧客情報に含まれる。
【００２８】
以上のように構成される瞬低情報通知システム２００について、その動作を以下に説明する。図２に示す構成を持つ電力系統１００において、電気所２０ｃと電気所２０ｄとを接続する送電線５０ｄ（２回線送電線）の２号線に落雷があり、これによって瞬低が発生した場合を例とする。
まず、電気所２０ｃまたは電気所２０ｄのΔＵＶＲが瞬低を検出し、上述の瞬低検出情報を得る。図３に示す構成において、この瞬低検出情報は、電気所２０ｃおよび電気所２０ｄの一つまたは双方から、電気所通信網７１を経由して瞬低情報サーバ７０に送信される。ここでは、電気所２０ｃから送信されたとする。
【００２９】
瞬低情報サーバ７０は、受信した瞬低検出情報と、その瞬低検出情報を送信してきた電気所の供給経路情報とに基づき、瞬低が波及した可能性のある需要家を特定する。
上述のように、図２に示す構成における電気所２０ｃの供給経路情報は、図５に示すものである。また、瞬低が発生した送電線５０ｄの２号線は、電気所２０ｃの６６ｋＶ乙１母線に対応する。よって、瞬低情報サーバ７０は、電気所２０ｃの６６ｋＶ乙１母線に接続される顧客コード０７４３９２２、および０７４３９２３を得る。
【００３０】
以上は、電気所２０ｃからの瞬低検出情報に関する処理である。瞬低情報サーバ７０は、電気所２０ｄから送信を受けた場合の処理も行うが、内容は電気所２０ｃのものと同様であるので、説明を省略する。
【００３１】
次に、瞬低情報サーバ７０は、得られた顧客コードに対応する需要家、すなわち瞬低が波及した可能性のある需要家に対して、瞬低の発生を通知する電子メールである瞬低通知メールを送信する。
顧客コード０７４３９２３を持つ需要家の顧客情報は図８に示され、電子メールアドレスはａｂｃｄｅｆ＠ｔｔｔ．ｃｏ．ｊｐであるので、このアドレスに対して瞬低通知メールが送信される。
瞬低が波及した可能性のある他の需要家に対しても、同様にして瞬低通知メールが送信される。
【００３２】
この瞬低通知メールは、たとえば図１０に示されるものである。標題には、瞬低の発生を知らせるため「瞬低」の文字列が含まれる。送信先は上述の需要家のアドレスである。送信元は、電力系統１００を管理する団体において、その需要家を担当する部門であるが、これは瞬低情報サーバ７０が固有に持つアドレスであってもよい。本文には、瞬低が発生したことを需要家に知らせる文章が含まれる。さらに、本文には、その需要家に瞬低が波及した可能性のある母線のそれぞれについて、瞬低の発生日時、電圧階級、および電気所名を知らせる情報が含まれる。
【００３３】
このように、実施の形態１に係る瞬低情報通知システム２００によると、瞬低を検出した電気所２０ａ〜２０ｈは瞬低情報サーバ７０に瞬低検出情報を伝え、瞬低情報サーバ７０は、瞬低が波及した可能性のある需要家を特定して、電子メールにより瞬低発生を通知する。このため、各需要家は、電力系統１００における瞬低の発生を、より確実、かつ、より迅速に知ることができるので、より適切な対応をとることができるようになる。
【００３４】
たとえば、瞬低の原因を早期に知ることにより、原因が需要家構内の電気設備にある可能性を考慮しなくともよくなり、電気設備の点検が不要となるので、工程およびコストを節約できる。
また、瞬低の発生が電子メールによって自動的に通知されるので、瞬低が遠隔地の超高圧送電線（５００ｋＶ送電線等）への落雷によって発生した場合等、需要家の所在地近辺からでは瞬低発生の可能性に気づかない場合でも、確実に瞬低発生の可能性を知ることができる。これによって、たとえば、該当時間帯に需要家の工場において製造した製品・半製品に、瞬低に起因する不良箇所が含まれる可能性を見過ごさず、製品の検査を臨時に行う等の対応をとることができる。このようにして、需要家における製造物の品質の低下を防止することができる。
このように、瞬低情報通知システム２００は、需要家のニーズに対応し、商用電力系統１００におけるサービスレベルを向上させる。
【００３５】
また、電力系統１００の構成変更に応じて供給経路情報を変更するので、常に実際の供給経路と整合した通知を行うことができる。よって、経路変更のため臨時的にある母線に接続されていた需要家が通知の宛先から漏れたり、逆に臨時的に接続が外されていて影響がなかった需要家に誤った通知が送信されたりといった事態を回避する。
【００３６】
上述の実施の形態１において、瞬低情報サーバ７０は、瞬低通知メールを送信するとともに、同様の情報を含むＦＡＸを自動的に送信してもよいし、また同様の情報を含む音声電話を自動的にかけてもよい。
また、この瞬低通知メール、ＦＡＸ、および音声電話は、瞬低が波及した可能性のある需要家のすべてではなく、事前に通知を希望する旨の申し出があった需要家だけに送信されるものであってもよい。
【００３７】
また、瞬低情報サーバ７０は、いわゆるＷｅｂページである瞬低通知ホームページを作成して公衆通信網７２に公開してもよい。この瞬低通知ホームページは、たとえば図１に示すような電力系統１００の構成図と、各電気所における瞬低検出情報とを含むものであり、ＨＴＭＬ言語によって記述され、外部からのＨＴＴＰプロトコルを使用する参照に応じて送信される。
【００３８】
また、電気所２０ａ〜２０ｈと同様に、発電所１０ａおよび１０ｂも瞬低検出および通知の対象となってもよい。すなわち、発電所１０ａおよび１０ｂがそれぞれΔＵＶＲを備え、電気所通信網７１に接続され、瞬低検出情報を瞬低情報サーバ７０に送信してもよい。この場合、図４および図５に示される電気所ごとの供給経路情報は、各発電所に対しても作成され、また図６および図７に示される需要家ごとの供給経路情報は、各発電所の母線に関する情報も含む。
【００３９】
また、電気所２０ａ〜２０ｈの供給経路情報は、瞬低情報サーバ７０でなく、電気所２０ａ〜２０ｈにおいてそれぞれ設けられるコンピュータ等によって記憶されていてもよい。その場合、電気所２０ａ〜２０ｈそれぞれにおいて接続される顧客コードが特定され、瞬低検出情報とともに瞬低情報サーバ７０に送信される。
【図面の簡単な説明】
【００４０】
【図１】この発明の実施の形態１に係る電力系統１００の、通常の構成を示す図である。
【図２】この発明の実施の形態１に係る電力系統１００の、変更が発生した場合の構成を示す図である。
【図３】この発明の実施の形態１に係る瞬低情報通知システム２００を含む構成を示す図である。
【図４】電力系統１００が図１に示す構成である場合の、電気所２０ｃにおける供給経路情報を示す図である。
【図５】電力系統１００が図２に示す構成である場合の、電気所２０ｃにおける供給経路情報を示す図である。
【図６】電力系統１００が図１に示す構成である場合の、需要家３０ｐにおける供給経路情報を示す図である。
【図７】電力系統１００が図２に示す構成である場合の、需要家３０ｐにおける供給経路情報を示す図である。
【図８】需要家３０ｐに対応する顧客情報を示す図である。
【図９】この発明の実施の形態１に係る瞬低情報サーバ７０が表示する、瞬低通知画面を示す図である。
【図１０】この発明の実施の形態１に係る瞬低情報サーバ７０が送信する、瞬低通知メールを示す図である。
【符号の説明】
【００４１】
１０ａおよび１０ｂ  発電所、２０ａ〜２０ｈ  電気所、３０ｃ〜３０ｐ  需要家（特別高圧受電の需要家）、４０ａおよび４０ｂ  需要家（高圧受電の需要家）、５０ａ〜５０ｐ  送電線、６０ａおよび６０ｂ  配電線、７０  瞬低情報サーバ、１００  商用電力系統。
【図１】
2006280102.tif 000003
【図２】
2006280102.tif 000004
【図３】
2006280102.tif 000005
【図４】
2006280102.tif 000006
【図５】
2006280102.tif 000007
【図６】
2006280102.tif 000008
【図７】
2006280102.tif 000009
【図８】
2006280102.tif 000010
【図９】
2006280102.tif 000011
【図１０】
2006280102.tif 000012